(57)【要約】  【課題】  開閉扉の開閉に伴って、微小粒子の拡散状態を変化させることにより、拡散させる微小粒子の効果を向上させることができる冷蔵庫を提供することを目的とする。  【解決手段】  冷蔵庫２０ａは、放電面１４ａからイオンを発生するイオン発生装置１４と、イオン発生装置１４から発生するイオンを搬送する送風経路１３と、送風経路１３に形成され、イオンを庫外に放出する吹出口２２と、冷蔵庫２０ａ庫内を開閉する開閉扉２１とを備え、送風経路１３は、吹出方向が水平方向又は水平より下方向である第１の送風経路１３ｃと、吹出方向が第１の送風経路の吹出方向より下方向である第２の送風経路１３ｄとからなり、吹出口２２は、第１の送風経路１３ｃに連通する第１の吹出口２２ａと、第２の送風経路１３ｄに連通し、開閉扉２１の閉塞時に開閉扉２１で閉塞される第２の吹出口２２ｂとからなる構成とする。【選択図】      図４
2006118780.tif 000002
【特許請求の範囲】
【請求項１】
微小粒子発生部位から微小粒子を発生する微小粒子発生装置と、該微小粒子発生装置から発生する微小粒子を搬送する送風経路と、該送風経路に形成され、微小粒子を庫外に放出する吹出口と、冷蔵庫庫内を開閉する開閉扉と、を備えた冷蔵庫において、
前記開閉扉の開閉に同期して庫外に放出する微小粒子の濃度分布が変化することを特徴とする冷蔵庫。
【請求項２】
微小粒子発生部位から微小粒子を発生する微小粒子発生装置と、該微小粒子発生装置から発生する微小粒子を搬送する送風経路と、該送風経路に形成され、微小粒子を庫外に放出する吹出口と、冷蔵庫庫内を開閉する開閉扉と、を備えた冷蔵庫において、
前記開閉扉の開閉に同期して庫外に放出する微小粒子の吹出方向が変化することを特徴とする冷蔵庫。
【請求項３】
前記吹出方向は、水平方向又は水平より下方向である第１の吹出方向と、該第１の吹出方向より下方向である第２の吹出方向とからなることを特徴とする請求項２記載の冷蔵庫。
【請求項４】
前記送風経路は、吹出方向が水平方向又は水平より下方向である第１の送風経路と、吹出方向が第１の送風経路の吹出方向より下方向である第２の送風経路とからなることを特徴とする請求項１〜３の何れかに記載の冷蔵庫。
【請求項５】
前記吹出口は、前記第１の送風経路に連通する第１の吹出口と、前記第２の送風経路に連通し、前記開閉扉の閉塞時に前記開閉扉で閉塞される第２の吹出口とからなることを特徴とする請求項４記載の冷蔵庫。
【請求項６】
前記送風経路中に、前記第１の送風経路又は第２の送風経路へ気流を導く可動式の風向変更板を設けたことを特徴とする請求項４記載の冷蔵庫。
【請求項７】
前記開閉扉の閉塞時に前記吹出口と前記開閉扉との間に外部に連通する空間が形成されるように、前記吹出口と前記開閉扉とを配したことを特徴とする請求項１又は２記載の冷蔵庫。
【請求項８】
前記吹出口は水平より下方向に配され、前記吹出口と前記開閉扉の上面部との間に前記空間が形成されることを特徴とする請求項７記載の冷蔵庫。
【請求項９】
前記開閉扉に、前記開閉扉の閉塞時に前記吹出口の一部を閉塞して前記微小粒子の吹出方向を変化させる開閉扉一体型部材を設けたことを特徴とする請求項１又は２記載の冷蔵庫。
【請求項１０】
前記開閉扉一体型部材は、前記開閉扉の閉塞時に前記吹出口の上部を閉塞して気流を下方に案内する開閉扉一体型気流案内部材であることを特徴とする請求項９記載の冷蔵庫。
【請求項１１】
前記開閉扉一体型部材は、前記開閉扉の閉塞時に前記吹出口の中部を閉塞して気流を略水平方向と水平より下方向に分流する開閉扉一体型分流部材であることを特徴とする請求項９記載の冷蔵庫。
【請求項１２】
前記微小粒子発生装置の上流側にエアフィルターを設けることを特徴とする請求項１〜１１の何れかに記載の冷蔵庫。
【請求項１３】
前記微小粒子は、殺菌作用を呈するものであることを特徴とする請求項１〜１２の何れかに記載の冷蔵庫。
【発明の詳細な説明】
【技術分野】
【０００１】
本発明は、殺菌作用を呈するイオンなどの微小粒子を庫外に放出する冷蔵庫に関するものである。
【背景技術】
【０００２】
微小粒子拡散装置が放出する殺菌作用を呈する微小粒子の一つにＨ+(Ｈ2Ｏ)nとＯ2-(Ｈ2Ｏ)mなるイオン、所謂クラスターイオンが挙げられる。このイオンを発生する微小粒子拡散装置１１０を搭載した従来の冷蔵庫２００（図２０、図２１参照）が特願２００２−２０４６２２号、特願２００２−２０６１６３号に記載されている。この冷蔵庫２００は図２２に示すように庫外にイオンを放出して冷蔵庫庫外近辺を殺菌するものである。冷蔵庫庫外の浮遊菌を殺菌することで衛生的な生活空間を提供するとともに、扉の開閉時に庫外から庫内へ浮遊菌が侵入することを抑制し、衛生的な庫内環境を実現している。
【発明の開示】
【発明が解決しようとする課題】
【０００３】
しかしながら、上記の微小粒子を庫外に放出する冷蔵庫は、イオンの発生量に対して、イオンの拡散能力、即ち微小粒子の拡散能力が低い設計であった。
【０００４】
図２２は、従来の微小粒子拡散装置１１０を備えた冷蔵庫２００と部屋Ｒ内のイオン濃度分布の計測ポイントとの位置関係を示す図であり、図２３は、従来の微小粒子拡散装置１１０を備えた冷蔵庫２００の微小粒子拡散装置１１０動作時における、部屋Ｒの水平断面Ｈの位置のイオン濃度分布を示す図、図２４は、従来の微小粒子拡散装置１１０を備えた冷蔵庫２００の微小粒子拡散装置１１０動作時における、部屋Ｒの鉛直中央断面Ｖの位置のイオン濃度分布を示す図である。図２３、図２４には、室温１５℃の部屋Ｒ（図２２参照）において、従来の微小粒子拡散装置１１０を備えた冷蔵庫２００の冷蔵庫庫外微小粒子吹出口２２からＨ+(Ｈ2Ｏ)nとＯ2-(Ｈ2Ｏ)mなるイオン、所謂クラスターイオンを部屋Ｒ内に放出した場合の部屋Ｒの各部でのイオン濃度が示されている。部屋Ｒの大きさは８畳（高さ２４００ｍｍ、横３６００ｍｍ、奥行き３６００ｍｍ）である。また、図２３に示す計測面は、図２２に一点鎖線Ｈで示した、冷蔵庫庫外微小粒子吹出口２２を含む部屋Ｒの水平断面（床面から１７００ｍｍ上方）であり、図２４に示す計測面は、図２２に二点鎖線Ｖで示した、冷蔵庫庫外微小粒子吹出口２２を含む部屋Ｒの鉛直中央断面である。ここで、プラスイオン濃度２０００個／ｃｍ3以上、かつ、マイナスイオン濃度２０００個／ｃｍ3以上の時、殺菌効果が確認されている。
【０００５】
図２３および図２４において、冷蔵庫庫外微小粒子吹出口２２の周囲には高濃度のイオンが存在するものの、その領域は狭く、必ずしも十分とは言えない。例えば、冷蔵庫庫外微小粒子吹出口２２の前方１０ｍｍ位置におけるイオン濃度は約１０万個／ｃｍ3であり、イオン発生装置１４から十分なイオンが発生しているものの、吹出口近傍に高濃度のイオンが停滞した状態となっており、部屋Ｒ全体に拡散していない。特に、上下方向、左右方向にイオンが拡散しにくいのが見て取れる。
【０００６】
放出される微小粒子の濃度の高い領域を拡大するには、送風機１２の回転数を増加させればよいが、これだと送風騒音が著しく増加するといった問題があった。また、放出される微小粒子の濃度の高い領域を拡大するには、微小粒子発生装置の微小粒子生成量を増加してやればよいが、例えば上記のイオン発生装置１４の場合、イオン発生装置１４に印加する電圧を大幅に増加する必要があるだけでなく、イオン発生音の増大、およびイオンと同時に発生するオゾン量が爆発的に増加してしまうというような、他の問題が発生してしまう。
【０００７】
また、例えば、冷蔵庫の周囲の空間に存在する浮遊菌等の微生物（ウイルス、カビ菌、その他）を除菌する目的で殺菌作用を呈する微小粒子を庫外に放出する場合、冷蔵庫の開閉扉を開放する時に、冷蔵庫近傍の空間に殺菌作用を呈する微小粒子が充実するよう設定し、冷蔵庫の開閉扉を閉塞している時には、なるべく微小粒子が部屋全体に拡散するように設定したいというニーズがある。しかし、従来の微小粒子拡散装置１１０を備えた冷蔵庫２００の場合、微小粒子の吹出し方向が常にほぼ同一方向のため、外乱がない限り、部屋Ｒのイオン濃度は、常に図２３および図２４に示すような状態となり、上記のニーズに対応できないといった問題があった。また、拡散させる微小粒子の種類によっては、開閉扉の開閉に従って、上記以外の様々なニーズが生ずるが、従来の微小粒子拡散装置１１０を備えた冷蔵庫２００の場合、それらに対応できないといった問題があった。
【０００８】
本発明は、上記の問題点に鑑みてなされたものであり、冷蔵庫の開閉扉の開閉に伴って、微小粒子の拡散状態を変化させることにより、微小粒子の効果を向上させることができる冷蔵庫を提供することを目的とする。
【課題を解決するための手段】
【０００９】
上記目的を達成するために本発明は、微小粒子発生部位から微小粒子を発生する微小粒子発生装置と、該微小粒子発生装置から発生する微小粒子を搬送する送風経路と、該送風経路に形成され、微小粒子を庫外に放出する吹出口と、冷蔵庫庫内を開閉する開閉扉と、を備えた冷蔵庫において、前記開閉扉の開閉に同期して庫外に放出する微小粒子の濃度分布が変化することを特徴とする。
【００１０】
この構成によると、微小粒子の種類および効能に応じて、冷蔵庫の開閉扉の開放時および閉塞時のそれぞれに好適な微小粒子の濃度分布を実現できる。
【００１１】
また、前記開閉扉の開閉に同期して庫外に放出する微小粒子の吹出方向が変化するようにしてもよい。
【００１２】
この構成によると、開閉扉の開閉に合わせて、微小粒子の種類および効能に応じた好適な拡散を実現することができる。
【００１３】
また本発明は、前記吹出方向は、水平方向又は水平より下方向である第１の吹出方向と、該第１の吹出方向より下方向である第２の吹出方向とからなることを特徴としている。このように吹出方向を変えるには、例えば、前記送風経路を、吹出方向が水平方向又は水平より下方向である第１の送風経路と、吹出方向が第１の送風経路の吹出方向より下方向である第２の送風経路とから構成すればよい。
【００１４】
この構成によると、開閉扉の開閉に合わせて微小粒子を第１の送風経路又は第２の送風経路から放出することができる。例えば、開閉扉の閉塞時に第１の送風経路を通じて微小粒子が放出されるようにすると、微小粒子を部屋全体に拡散することができ、部屋全体の空気中に存在する浮遊菌等の微生物（ウイルス、カビ菌、その他）を効果的に除菌することができる。一方、開閉扉の開放時に第２の送風経路を通じて微小粒子が放出されるようにすると、微小粒子を冷蔵庫の前面下方の領域に拡散することができ、開閉扉を開閉した際に、冷蔵庫庫内に不活化されていない浮遊菌等の微生物が侵入するのを効果的に防止することができる。
【００１５】
上記の冷蔵庫において、前記吹出口は、前記第１の送風経路に連通する第１の吹出口と、前記第２の送風経路に連通し、前記開閉扉の閉塞時に前記開閉扉で閉塞される第２の吹出口とから構成することができる。
【００１６】
この構成によると、開閉扉の閉塞時には第１の吹出口から微小粒子が放出され、一方、開閉扉の開放時には第１および第２の吹出口から微小粒子が放出される。その結果、開閉扉の閉塞時には、部屋全体の空気中に存在する浮遊菌等の微生物（ウイルス、カビ菌、その他）を効果的に除菌することができる。一方、開閉扉の開放時には、冷蔵庫庫内に不活化されていない浮遊菌等の微生物が侵入するのを効果的に防止することができる。
【００１７】
上記の冷蔵庫において、前記送風経路中に、前記第１の送風経路又は第２の送風経路へ気流を導く可動式の風向変更板を設けてもよい。
【００１８】
この構成によると、開閉扉の閉塞時には風向変更板は、送風経路に流通する気流の風向を第１の吹出口へ導く位置に設定できる。これにより第２の吹出口への通風が遮断されるので、第１の吹出口から前方に微小粒子が吹出される。一方、開閉扉の開放時には風向変更板は、送風経路に流通する気流の風向を第２の吹出口へ導く位置に設定される。これにより第１の吹出口への通風が遮断されるので、第２の吹出口から前方下方に微小粒子が吹出される。
【００１９】
また本発明は、前記開閉扉の閉塞時に前記吹出口と前記開閉扉との間に外部に連通する空間が形成されるように、前記吹出口と前記開閉扉とを配したことを特徴としている。
【００２０】
この構成によると、開閉扉の閉塞時には前記空間を通じて微小粒子が放出される。一方、開閉扉の開放時には前記空間は形成されないので、吹出口から微小粒子が放出される。
【００２１】
上記の冷蔵庫において、前記吹出口は水平より下方向に配され、前記吹出口と前記開閉扉の上面部との間に前記空間が形成されると、前方に微小粒子を拡散する能力はやや低下するが、下方に微小粒子を拡散する能力が向上する。従って、冷蔵庫を設置する部屋の形状が、冷蔵庫の前後方向に狭い場合には、開閉扉の開放時には、冷蔵庫の前面下方の領域の微小粒子の濃度をより高くすることができる。
【００２２】
また本発明は、前記開閉扉に、前記開閉扉の閉塞時に前記吹出口の一部を閉塞して前記微小粒子の吹出方向を変化させる開閉扉一体型部材を設けたことを特徴とする。
【００２３】
この構成によると、開閉扉一体型部材の形状及び配置により、開閉扉の閉塞時に所望の方向に微小粒子を放出させることができる。
【００２４】
上記の冷蔵庫において、前記開閉扉一体型部材は、前記開閉扉の閉塞時に前記吹出口の上部を閉塞して気流を下方に案内する開閉扉一体型気流案内部材とすることができる。
【００２５】
この構成によると、開閉扉の閉塞時に下方向に微小粒子を放出させることができる。
【００２６】
上記の冷蔵庫において、前記開閉扉一体型部材は、前記開閉扉の閉塞時に前記吹出口の中部を閉塞して気流を略水平方向と水平より下方向に分流する開閉扉一体型分流部材とすることができる。
【００２７】
この構成によると、開閉扉の閉塞時に略水平方向と水平より下方向に微小粒子を放出させることができる。
【００２８】
上記の冷蔵庫において、前記微小粒子発生装置の上流側にエアフィルターを設けることが望ましい。
【００２９】
この構成によると、微小粒子発生装置内部に油煙や塵埃の侵入を防ぐとともに、微小粒子発生装置への汚れの付着を防止し、微小粒子の発生量の経時劣化を抑制することができる。
【００３０】
上記の冷蔵庫において、前記微小粒子は、殺菌作用を呈するものを用いることができる。
【００３１】
この構成によると、冷蔵庫の周囲の空間に存在する浮遊菌等の微生物（ウイルス、カビ菌、その他）を効果的に除菌することができる。
【発明の効果】
【００３２】
本発明によると、開閉扉の開閉によって、庫外に放出する微小粒子の吹出方向や濃度分布を変化させることにより、微小粒子の種類および効能に応じて、冷蔵庫の開閉扉の開放時および閉塞時のそれぞれに好適な微小粒子の拡散を実現できる。
【発明を実施するための最良の形態】
【００３３】
以下に本発明の実施形態について図面を参照して説明する。説明の便宜上、従来例と同一の部分については同一の符号を付し、各実施形態や比較例で同一の部分についても同一の符号を付している。
【００３４】
〈第１の実施形態〉
第１の実施形態について説明する。図１は、本実施形態の微小粒子拡散装置１１ａを搭載した冷蔵庫２０ａの正面図、図２は、図１の冷蔵庫２０ａの概略側断面図、図３は図１の冷蔵庫２０ａに搭載されている微小粒子拡散装置１１ａを示す概略平面断面図である。また、図４は本実施形態の冷蔵庫２０ａに搭載されている微小粒子拡散装置１１ａを示す概略側断面図であり、冷蔵庫２０ａの開閉扉２１が閉塞されている時の気流の挙動を模式的に表している。さらに、図５は本実施形態の冷蔵庫２０ａに搭載されている微小粒子拡散装置１１ａを示す概略側断面図であり、冷蔵庫２０ａの開閉扉２１が開放されている時の気流の挙動を模式的に表している。
【００３５】
本実施形態の冷蔵庫２０ａは、送風機１２と、送風経路１３と、放電面１４ａを送風経路１３に面するように設置されたイオン発生装置１４と、図示しない制御部とから成る微小粒子拡散装置１１ａを、冷蔵庫２０ａの天面部に備えている。また、冷蔵庫２０ａの前面に設置される開閉扉２１の上部には、冷蔵庫庫外微小粒子吹出口２２が設けられており、イオン発生装置１４の駆動により生成されるイオンは、送風機１２の駆動により搬送され、送風経路１３を流通し、拡散装置吹出口１５が連通する冷蔵庫庫外微小粒子吹出口２２から、冷蔵庫庫外に放出、拡散される構成となっている。図中の矢印は、この時の気流の様子を示している。
【００３６】
イオン発生装置１４は、微小粒子として、Ｈ+(Ｈ2Ｏ)n及びＯ2-(Ｈ2Ｏ)mなるイオンを発生させることができ、使用目的に応じて、プラスイオンに比べてマイナスイオンを多く発生させるモード、マイナスイオンに比べてプラスイオンを多く発生させるモード、及び、プラスイオンとマイナスイオンの両方を略同量の割合で発生させるモードの切替えができる。
【００３７】
特に、イオン発生装置１４によりプラスイオン（Ｈ+(Ｈ2Ｏ)n等）とマイナスイオン（Ｏ2-(Ｈ2Ｏ)m等）をほぼ同量発生させる場合には、冷蔵庫庫外に放出されたＨ+(Ｈ2Ｏ)n及びＯ2-(Ｈ2Ｏ)mは微生物の表面で凝集し、空気中の微生物等の浮遊菌を取り囲む。そして、式（１）〜（３）に示すように、衝突により活性種である［・ＯＨ］（水酸基ラジカル）やＨ2Ｏ2（過酸化水素）を微生物等の表面上で凝縮生成して浮遊菌の殺菌を行う。
【００３８】
Ｈ+(Ｈ2Ｏ)n＋Ｏ2-(Ｈ2Ｏ)m→・ＯＨ＋1/2Ｏ2＋(n+m)Ｈ2Ｏ ・・・（１）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ 2・ＯＨ＋Ｏ2＋(n+n'+m+m')Ｈ2Ｏ ・・・（２）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ Ｈ2Ｏ2＋Ｏ2＋(n+n'+m+m')Ｈ2Ｏ ・・・（３）
上記のように、プラスイオンとマイナスイオンを冷蔵庫２０ａの前方周囲の庫外生活空間に放出することで、その生活空間に存在する浮遊菌を殺菌し、衛生的な生活空間を提供するとともに、開閉扉２１開閉時に庫外から庫内への浮遊菌の侵入を抑制し、衛生的な庫内環境を実現できる。
【００３９】
また、送風機１２は羽根車としてシロッコファンを用いることができる。冷蔵庫２０ａの天面部に、空気を下方から送風機１２に取込み、冷蔵庫２０ａの前方へ吹出す構成に設置される。また、イオン発生装置１４の上流側には、油煙や塵埃の侵入を防ぐために、図示しないエアフィルターが設置されている。なお、エアフィルターは送風機１２の汚れ防止の観点から、送風機１２の上流側に設置されることが望ましい。また、エアフィルターは、冷蔵庫２０ａの空気の吸込口に設置するとさらに望ましい。
【００４０】
また、送風経路１３は絞り部１３ａと拡大管部１３ｂとを備えている。送風機１２から拡散装置吹出口１５に向かう送風経路１３において、絞り部１３ａはイオン発生装置１４の放電面１４ａの直前に備えられており、送風機１２から連通する送風経路１３の断面積は絞り部１３ａにおいてイオン発生装置１４の放電面１４ａに近づくに従い滑らかに小さくなる形状を呈している。該絞り部１３ａによりイオン発生装置１４の放電面１４ａ近傍を流通する空気の乱れを整流するとともに、送風機１２下流に生ずる流れの偏り、所謂偏流を抑制することができる。
【００４１】
さらに、イオン発生装置１４の放電面の流れに垂直な方向の幅をｗ１、放電面に面する送風経路１３の幅をｗ２とすると、ｗ２＝ｗ１に設定されている。このため、イオン発生装置１４下流部の送風経路１３内のイオン濃度が流れ方向に垂直な平面内において略均一となる。
【００４２】
また、イオン発生装置１４から拡散装置吹出口１５に至る部分は拡大管部１３ｂにて構成されており、イオン発生装置１４から拡散装置吹出口１５に向かうに従い断面積が滑らかに拡大する構成となっている。また、イオン発生装置１４直後における拡大管部１３ｂの断面形状は、高さ１０ｍｍ、幅３０ｍｍ、即ちアスペクト比：ＡＲ＝３であり、拡大管部１３ｂの終点、即ち、拡散装置吹出口１５においては、高さ８ｍｍ、幅４５０ｍｍ、即ちアスペクト比：ＡＲ＝５６に設定されている。
【００４３】
さらに、拡大管部１３ｂには、イオン発生装置１４のすぐ下流部から拡散装置吹出口１５のやや上流部にかけて複数の導風板１６が設置されており、該導風板１６により拡大管部１３ｂの内部が複数に分割されている。本実施形態において拡大管部１３ｂは、６枚の導風板１６により７分割され、区切られたそれぞれの送風経路１３は拡散装置吹出口１５に近づくにつれてアスペクト比が大きくなるように構成され、拡散装置吹出口１５に近いほうの導風板１６の端部でのアスペクト比が８程度に設定されている。また、６枚の導風板１６は、拡散装置吹出口１５での長手方向の風速分布がどこでも略同一になるように設定されている。従って、拡散装置吹出口１５下流部のイオン濃度が流れ方向に垂直な平面内において略均一となる。
【００４４】
また、冷蔵庫２０ａの前面に設置される開閉扉２１の上部には、前記送風経路１３および拡散装置吹出口１５が連通する冷蔵庫庫外微小粒子吹出口２２が備えられ、冷蔵庫庫外にイオンが放出、拡散される構成となっている。冷蔵庫庫外微小粒子吹出口２２は、前方（水平方向より１０°下方）にイオンを吹出す第１の吹出口２２ａと、前方下方（水平方向より４０°下方）にイオンを吹出す第２の吹出口２２ｂとにより構成されている。また、送風経路１３は、冷蔵庫庫外微小粒子吹出口２２の上流部で、第１の送風経路１３ｃと、第２の送風経路１３ｄとに分岐している。第１の送風経路１３ｃは第１の吹出口２２ａに連通し、第２の送風経路１３ｄは第２の吹出口２２ｂに連通するよう構成される。なお、第１の吹出口２２ａ、第２の吹出口２２ｂとも、冷蔵庫２０ａの前面に設置される開閉扉２１の上部を覆う部分、例えば、開閉扉２１を開閉自在に枢支するヒンジ部（不図示）を覆う部品であるヒンジカバー２９に設けられており、第１の吹出口２２ａは、ヒンジカバー２９の前面部に、冷蔵庫前面に面して設けられ、第２の吹出口２２ｂは、ヒンジカバー２９の下面部に、開閉扉２１の上面部２１ａに面して設けられている。
【００４５】
この構成によると、開閉扉２１の閉塞時には、第２の吹出口２２ｂは、開閉扉２１の上面部２１ａと近接し、第２の吹出口２２ｂから送出される気流は開閉扉２１の上面部２１ａにより遮断されるため、第２の吹出口２２ｂから気流は送出されなくなる。この場合、送風機１２の駆動により送風経路１３を流通する気流のほとんどは、図４に示すように第１の送風経路１３ｃを流通し、第１の吹出口２２ａから、前方（水平方向より１０°下方）に向けて送出される。そして、第２の送風経路１３ｄは渦領域となり、第２の吹出口２２ｂからは気流はほとんど送出されない。
【００４６】
また、開閉扉２１の開放時には、第２の吹出口２２ｂから送出される気流は、開閉扉２１の上面部２１ａにより遮断されていないため、送風機１２の駆動により送風経路１３を流通する気流は、図５に示すように第１の送風経路１３ｃと、第２の送風経路１３ｄとの経路に分流し、図５に示すように第１の送風経路１３ｃを流通した気流は第１の吹出口２２ａから前方（水平方向より１０°下方）に向けて送出され、第２の送風経路１３ｄを流通した気流は第２の吹出口２２ｂから前方下方（水平方向より４０°下方）に向けて送出される。
【００４７】
例えば、第１の送風経路１３ｃを流通する気流と、第２の送風経路１３ｄを流通する気流との比率は、１：１に設定され得る。第１の吹出口２２ａから水平方向より１０°下方に向けて送出された気流は、コアンダ効果により、第２の吹出口２２ｂから送出される気流の影響をうけ、気流はさらにやや下方に曲げられる。また、第２の吹出口２２ｂから水平方向より４０°下方に向けて送出された気流は、同様に、コアンダ効果により、第１の吹出口２２ａから送出される気流の影響をうけ、気流はやや上方に曲げられる。結果として冷蔵庫庫外微小粒子吹出口２２から送出される気流は、水平方向より３０°下方に向かう方向を中心に、水平方向より下方に１０°〜４０°の広がりをもって送出される。
【００４８】
図６、図７は、室温１５℃の部屋Ｒ（図２２参照）において、本実施形態の微小粒子拡散装置１１ａを備えた冷蔵庫２０ａの開閉扉２１の閉塞時に、冷蔵庫庫外微小粒子吹出口２２から、Ｈ+(Ｈ2Ｏ)nとＯ2-(Ｈ2Ｏ)mなるイオン、所謂クラスターイオンを部屋Ｒに放出した場合の部屋Ｒの各部でのイオン濃度を示している。前述のとおり、部屋Ｒの大きさは８畳（高さ２４００ｍｍ、横３６００ｍｍ、奥行き３６００ｍｍ）である。また、図６に示す計測面は、図２２に一点鎖線Ｈで示した、冷蔵庫庫外微小粒子吹出口２２を含む部屋Ｒの水平断面（床面から１７００ｍｍ上方）であり、図７に示す計測面は、図２２に二点鎖線Ｖで示した、冷蔵庫庫外微小粒子吹出口２２を含む部屋Ｒの鉛直中央断面である。なお、このときの冷蔵庫庫外微小粒子吹出口２２の風速は、吹出口２２の長手方向のどの位置においても略均一の１．５ｍ／ｓである。また、このときの冷蔵庫２０ａ前方１ｍにおける騒音値は２２ｄＢである。
【００４９】
また図８は、本実施形態の冷蔵庫２０ａの開閉扉２１の開放時において、冷蔵庫庫外微小粒子吹出口２２から、上記のクラスターイオンを室内に放出した場合の部屋Ｒの各部でのイオン濃度を示している。図８に示す計測面は、図７と同様、図２２に二点鎖線Ｖで示した、冷蔵庫庫外微小粒子吹出口２２を含む部屋Ｒの鉛直中央断面である。
【００５０】
なお、前述のとおり、プラスイオン濃度２０００個／ｃｍ3以上、かつ、マイナスイオン濃度２０００個／ｃｍ3以上の時、上記の殺菌効果が確認されている。
【００５１】
従来の微小粒子拡散装置１１０を備えた冷蔵庫２００の場合のイオン濃度分布（図２３、図２４）と比較すれば明らかであるが、図６、図７によると、本実施形態の微小粒子拡散装置１１ａを備えた冷蔵庫２０ａの開閉扉２１の閉塞時においては、冷蔵庫庫外微小粒子吹出口２２の第１の吹出口２２ａから吹出されたイオンは、部屋の端まで到達しているのがわかる。また、本実施形態の冷蔵庫庫外微小粒子吹出口２２の前方１０ｍｍ位置におけるイオン濃度は約１万個／ｃｍ3であり、従来例のように吹出口近傍に高濃度のイオンが停滞するということもない。また、部屋Ｒの約６０％以上の領域において、プラスイオン濃度２０００個／ｃｍ3以上、かつ、マイナスイオン濃度２０００個／ｃｍ3以上のイオン濃度を示しており、殺菌効果を示す領域が従来例に対して格段に広がっているのがわかる。
【００５２】
以下に、本実施形態の微小粒子拡散装置１１ａが従来の微小粒子拡散装置１１０に対して、イオンの拡散能力が大幅に向上したメカニズムについて説明する。第１に、拡大管部１３ｂは、ディフューザの働きを持つように設計されており、従って気流の運動エネルギーを静圧に変換することができ、送風機１２の送風能力を助けることができるため、図示しないエアフィルター、絞り部１３ａ、その他送風経路１３内において生ずる圧力損失の全てが送風機１２にかかる場合に比べて送風量が増加し、送風機騒音も低くなる。そのため従来例に比べ大風量の気流によりイオンを搬送するため、拡散効率が格段に上昇する。微小粒子拡散装置１１ａは従来例に比べて風量が約２倍であり、このときの冷蔵庫２２ａ前方１ｍにおける騒音値は従来例と同様で２２ｄＢである。
【００５３】
第２に、該絞り部１３ａによりイオン発生装置１４の放電面１４ａ近傍を流通する空気の乱れを整流するとともに、送風機１２下流に生ずる流れの偏り、所謂偏流を抑制しているため、気流の乱れが従来例に比べて大幅に抑制されている。イオンは壁面やその他障害物に衝突することにより電荷を失い消滅する。また、イオン発生装置１４からプラスイオンとマイナスイオンの両方を略同量の割合で発生させている場合には、プラスイオンとマイナスイオンが衝突することによりイオンが消滅する。即ち、気流が乱れていれば、障害物とイオンの衝突及び／またはイオン同士が衝突することによるイオン消滅量が多く、気流が整流されていれば、障害物とイオンの衝突及び／またはイオン同士が衝突することによるイオン消滅量が少なくなり、そのためイオンが長寿命化する。従来例においては約３秒でイオン濃度が１／ｅに減衰するのに対し、本実施形態においてはイオン濃度が１／ｅに減衰する時間が約５秒まで延長される。
【００５４】
第３に、イオン発生装置１４の放電面１４ａ近傍を流通する空気の乱れや偏りを抑制しているため、イオン発生装置１４の放電面１４ａ近傍を流通する空気は一様となる。これにより、イオン発生装置１４の放電面１４ａ上におけるイオン発生効率が増加する。即ち、所望のイオン発生量を確保するのに、低電圧または低風量で可能となり、騒音面でも有利となる。
【００５５】
第４に、送風経路１３とイオン発生装置１４の位置関係を、イオン発生装置１４の放電面の流れに垂直な方向の幅と、放電面に面する送風経路１３の幅とを等しくするように設定したことにより、流れに垂直な方向のイオン濃度のばらつきが抑制され、イオン発生装置１４下流部の送風経路１３内のイオン濃度が流れ方向に垂直な平面内において略均一となり、イオンを効率良く気流に乗せることができる。そのため、イオンを効率的に搬送し、拡散させることができる。
【００５６】
第５に、吹出口２２のアスペクト比を最適化し、噴流のポテンシャルコアを延長することにより、風速の減衰を抑制しているため、気流の到達距離が従来例に比べ、大幅に延長されている。一般に、吹出口から送出した直後の噴流中央部の速度分布は一様である。この一様な速度の部分は、両側から発達する自由混合層により侵食されて減少し、ある距離のところで消滅する。この部分はくさび状であって、ポテンシャルコアとよばれる。静止流体中に流出する自由噴流の場合、ポテンシャルコアの長さは、吹出口形状、吹出口壁面に沿う境界層の状態、初期乱れ等によって異なるが、２次元乱流噴流では吹出口高さ又は直径の５〜７倍程度、軸対称乱流噴流では吹出口高さ又は直径の５〜８倍程度になることが知られている。このポテンシャルコアの長さが長くなるにつれて、噴流の到達距離が延長される。従って、吹出口面積および吹出口風速が同じ、つまり、同一風量であれば、吹出口のアスペクト比を最適にすることでポテンシャルコア長、即ち、気流の到達距離を延長することができる。言い換えれば、同じポテンシャルコア長、つまり、気流の到達距離が同一の場合、風量を小さくできるため、送風機１２の消費電力および騒音値を低減することができる。
【００５７】
さらに、後述の比較例の微小粒子拡散装置１１１を備えた冷蔵庫２０１の場合のイオン濃度分布（図１８、図１９）と比較すれば明らかであるが、図６、図７によると、本実施形態の微小粒子拡散装置１１ａを備えた冷蔵庫２０ａの開閉扉２１の閉塞時においては、比較例の微小粒子拡散装置１１１を備えた冷蔵庫２０１の場合のイオン濃度分布（図１８、図１９）と略同様のイオン拡散性能を示している。さらに、本実施形態の微小粒子拡散装置１１ａを備えた冷蔵庫２０ａの開閉扉２１の開放時においては、冷蔵庫庫外微小粒子吹出口２２から送出される気流は、水平方向より３０°下方に向かう方向を中心に、水平方向より下方に１０°〜４０°の広がりをもって送出され、図８に示すように、冷蔵庫２０ａの前面部近傍に広がっているのがわかる。これにより、殺菌効果を示す領域が比較例に対して下方に格段に広がり、冷蔵庫２０ａの前面下方の領域のイオン濃度は、プラスイオン濃度２０００個／ｃｍ3以上、かつ、マイナスイオン濃度２０００個／ｃｍ3以上となり、例えば、冷蔵庫２０ａの最下段の開閉扉（不図示）を開閉した際に、冷蔵庫２０ａ庫内に不活化されていない浮遊菌等の微生物が侵入するのを防止できる。
【００５８】
即ち、本実施形態によれば、冷蔵庫２０ａの開閉扉２１の閉塞時には、冷蔵庫庫外微小粒子吹出口２２から送出される微小粒子を、部屋Ｒ全体に拡散することができ、部屋Ｒ全体の空気中に存在する浮遊菌等の微生物（ウイルス、カビ菌、その他）を効果的に除菌することができる。一方、冷蔵庫２０ａの開閉扉２１の開放時には、冷蔵庫庫外微小粒子吹出口２２から送出される微小粒子を、冷蔵庫２０ａの前面下方の領域に拡散することができ、例えば、冷蔵庫２０ａの最下段の開閉扉（不図示）を開閉した際に、冷蔵庫２０ａ庫内に不活化されていない浮遊菌等の微生物が侵入するのを効果的に防止することができる。
【００５９】
〈第２の実施形態〉
次に、第２の実施形態について説明する。本実施形態の微小粒子拡散装置１１ｂを搭載した冷蔵庫２０ｂの正面図は図１と略同一、本実施形態の冷蔵庫２０ｂに搭載されている微小粒子拡散装置１１ｂを示す概略平面断面図は図３と略同一である。また、図９は本実施形態の冷蔵庫２０ｂに搭載されている微小粒子拡散装置１１ｂを示す概略側断面図であり、冷蔵庫２０ｂの開閉扉２１が閉塞されている時の気流の挙動を模式的に表している。さらに、図１０は本実施形態の冷蔵庫２０ｂに搭載されている微小粒子拡散装置１１ｂを示す概略側断面図であり、冷蔵庫２０ｂの開閉扉２１が開放されている時の気流の挙動を模式的に表している。
【００６０】
本実施形態は、第１の実施形態に対して、送風経路１３の拡散装置吹出口１５近傍および冷蔵庫庫外微小粒子吹出口２２の構成が異なる。即ち、本実施形態の微小粒子拡散装置１１ｂの送風経路１３は、第１の実施形態に対して第１の送風経路１３ｃが省略された、下方へ湾曲する形状になっており、開閉扉２１の開放時には、図１０に示すように、冷蔵庫庫外微小粒子吹出口２２の第２の吹出口２２ｂから前方下方（水平方向より４５°下方）に微小粒子が吹出される。
【００６１】
また、ヒンジカバー前方部２９ｂは、図９に示すように、ヒンジカバー後方部２９ａよりも高い位置に形成されており、開閉扉２１の閉塞時には、開閉扉２１の上面部２１ａとヒンジカバー前方部２９ｂの下面部とにより構成される空間が送風経路１３を成し、第２の吹出口２２ｂから前方下方に吹出された気流は開閉扉２１の上面部２１ａに沿って前方に導かれ、開閉扉２１の上面部２１ａと、ヒンジカバー前方部２９ｂの下面部と、冷蔵庫２０ｂの前面部とから形成される、第３の吹出口２２ｃから前方（水平方向）に微小粒子が吹出される。その他の構成は第１の実施形態と同一である。
【００６２】
本実施形態によれば、第１の実施形態に対して、前方に微小粒子を拡散する能力はやや低下するが、下方に微小粒子を拡散する能力が向上する。従って、冷蔵庫２０ｂを設置する部屋Ｒの形状が、冷蔵庫２０ｂの前後方向に狭い場合には、本実施形態の構成を選択すれば、冷蔵庫２０ｂの開閉扉２１の開放時には、冷蔵庫２０ｂの前面下方の領域の微小粒子の濃度をより高くすることができ、例えば、冷蔵庫２０ａの最下段の開閉扉（不図示）を開閉した際に、冷蔵庫２０ａ庫内に不活化されていない浮遊菌等の微生物が侵入するのをより効果的に防止することができる。
【００６３】
〈第３の実施形態〉
次に、第３の実施形態について説明する。本実施形態の微小粒子拡散装置１１ｃを搭載した冷蔵庫２０ｃの正面図は図１と略同一、本実施形態の冷蔵庫２０ｃに搭載されている微小粒子拡散装置１１ｃを示す概略平面断面図は図３と略同一である。また、図１１は本実施形態の冷蔵庫２０ｃに搭載されている微小粒子拡散装置１１ｃを示す概略側断面図であり、冷蔵庫２０ｃの開閉扉２１が閉塞されている時の気流の挙動を模式的に表している。さらに、図１２は本実施形態の冷蔵庫２０ｃに搭載されている微小粒子拡散装置１１ｃを示す概略側断面図であり、冷蔵庫２０ｃの開閉扉２１が開放されている時の気流の挙動を模式的に表している。
【００６４】
本実施形態では、回転軸１９ａにて枢支され、送風経路１３に流通する気流の風向を第１の吹出口２２ａへ導く位置と、第２の吹出口２２ｂへ導く位置との間で上下に可動する風向変更板１９が送風経路１３の拡散装置吹出口１５近傍に設けられている。その他の構成は第１の実施形態と同一である。
【００６５】
冷蔵庫２０ｃが駆動し、開閉扉２１が閉塞されると、風向変更板１９は、送風経路１３に流通する気流の風向を第１の吹出口２２ａへ導く位置に設定される。これにより第２の吹出口２２ｂへの通風が遮断されるので、第１の吹出口２２ａから前方（水平方向より１０°下方）に微小粒子が吹出される。
【００６６】
一方、冷蔵庫２０ｃの開閉扉２１が開放されると、風向変更板１９は、送風経路１３に流通する気流の風向を第２の吹出口２２ｂへ導く位置に設定される。これにより第１の吹出口２２ａへの通風が遮断されるので、第２の吹出口２２ｂから前方下方（水平方向より４０°下方）に微小粒子が吹出される。
【００６７】
なお、風向変更板１９を送風経路１３の中程に設定すれば、第１の吹出口２２ａへも第２の吹出口２２ｂへも気流を導ける。こうすることで、やや流体損失が増加するものの、第１の実施形態に近い効果を得ることもできる。
【００６８】
本実施形態によれば、第１の実施形態に対して、構成がやや複雑になるが、開閉扉２１閉塞時には、第１の実施形態において生じていた、第２の送風経路１３ｄの渦領域が形成されないため、前方への微小粒子拡散能力が向上する。また、開閉扉２１開放時には、第１の実施形態において生じていた、第１の吹出口２２ａから送出される気流と、第２の吹出口２２ｂから送出される気流とが、コアンダ効果により影響を及ぼしあい、気流がやや上方に引き上げられることがなくなるため、下方への微小粒子拡散の指向性が格段に向上するとともに、下方への微小粒子拡散能力が向上する。
【００６９】
〈第４の実施形態〉
次に、第４の実施形態について説明する。本実施形態の微小粒子拡散装置１１ｄを搭載した冷蔵庫２０ｄの正面図は図１と略同一、本実施形態の冷蔵庫２０ｄに搭載されている微小粒子拡散装置１１ｄを示す概略平面断面図は図３と略同一である。また、図１３は本実施形態の冷蔵庫２０ｄに搭載されている微小粒子拡散装置１１ｄを示す概略側断面図であり、冷蔵庫２０ｄの開閉扉２１が閉塞されている時の気流の挙動を模式的に表している。さらに、図１４は本実施形態の冷蔵庫２０ｄに搭載されている微小粒子拡散装置１１ｄを示す概略側断面図であり、冷蔵庫２０ｄの開閉扉２１が開放されている時の気流の挙動を模式的に表している。
【００７０】
本実施形態は、第１の実施形態とは気流の吹出方向が異なり、開閉扉２１の閉塞時は、微小粒子を下方へ吹出し、開閉扉２１の開放時は、微小粒子を前方へ吹出す構成となっている。即ち、送風経路１３は拡散装置吹出口１５近傍で徐々に上下に拡大するとともに、下面部が前方にいくほど下方になるように湾曲した形状に形成されている。そして、冷蔵庫２０ｄの開閉扉２１の開放時には、図１４に示すように冷蔵庫庫外微小粒子吹出口２２の第４の吹出口２２ｄから前方（水平方向より１０°下方）に、ある程度の広がりをもちながら微小粒子が吹出される。
【００７１】
一方、開閉扉２１の閉塞時には、図１３に示すように、開閉扉一体型気流案内部材２１ｂが第４の吹出口２２ｄを閉塞し、気流を下方に案内する。従って、微小粒子は第５の吹出口２２ｅから冷蔵庫２０ｄの前面部に沿って下方に吹出される。この時、開閉扉２１の前方上方の端部は気流を滑らかに下方に導くことができるように、滑らかな湾曲形状を成すことが望ましい。また、開閉扉一体型気流案内部材２１ｂは、開閉扉２１と一体に構成されており、そのため開閉扉２１が開放されると、開閉扉一体型気流案内部材２１ｂは冷蔵庫庫外微小粒子吹出口２２から大きく隔たれた位置に移動する。その他の構成は第１の実施形態と同一である。
【００７２】
本実施形態によれば、第１の実施形態に対して、開閉扉２１の開閉と微小粒子の吹出方向の関係を逆転できる。例えば、微小粒子の殺菌作用が比較的低い場合、または、長時間冷蔵庫前面下部の領域を除菌し続けたい場合、または、開閉扉２１を開放して食品を冷蔵庫２０ｄの庫内から出し入れする際に、食品に微小粒子を吹き付けたくない場合、さらには、使用者に微小粒子を積極的に浴びせたくない場合、等には、本実施形態が有利となる。
【００７３】
〈第５の実施形態〉
次に、第５の実施形態について説明する。本実施形態の微小粒子拡散装置１１ｅを搭載した冷蔵庫２０ｅの正面図は図１と略同一、本実施形態の冷蔵庫２０ｅに搭載されている微小粒子拡散装置１１ｅを示す概略平面断面図は図３と略同一である。また、図１５は本実施形態の冷蔵庫２０ｅに搭載されている微小粒子拡散装置１１ｅを示す概略側断面図であり、冷蔵庫２０ｄの開閉扉２１が閉塞されている時の気流の挙動を模式的に表している。さらに、図１６は本実施形態の冷蔵庫２０ｅに搭載されている微小粒子拡散装置１１ｅを示す概略側断面図であり、冷蔵庫２０ｅの開閉扉２１が開放されている時の気流の挙動を模式的に表している。
【００７４】
本実施形態では、第４の実施形態に対してさらに、開閉扉２１の閉塞時にも、微小粒子の一部を前方へ吹出すことができる構成となっている。即ち、開閉扉一体型気流案内部材２１ｂに替えて、開閉扉一体型分流部材２１ｃが用いられる。これにより、開閉扉２１の開放時には、図１６に示すように、第４の実施形態（図１４）と同一となる。一方、開閉扉２１の閉塞時には、図１５に示すように、第２の吹出口２２ｂの位置に、開閉扉一体型分流部材２１ｃが設けられ、気流を２方向に分流し、一方を冷蔵庫２０ｅ前方に案内するとともに、他方は下方に案内する。従って、一部の微小粒子は第６の吹出口２２ｆから冷蔵庫２０ｅ前方へ略水平方向に吹出され、残りの微小粒子は、第５の吹出口２２ｅから冷蔵庫２０ｅの前面部に沿って下方に吹出される。その他の構成は第４の実施形態と同一である。
【００７５】
本実施形態によれば、第４の実施形態に対して、開閉扉２１の閉塞時に、微小粒子を冷蔵庫前面下部のみならず、部屋全体に拡散することができる。この時、微小粒子発生能力のより高いイオン発生装置１４、および、送風能力のより高い送風機を併用すれば、さらに高い効果を得ることができる。
【００７６】
なお、冷蔵庫庫外に放出する微小粒子の濃度分布を変化させる方法としては、上記第１〜第５の実施形態の他にも様々な方法が考えられる。例えば、吹出口からの微小粒子の吹出速度を変化させる方法がある。送風機の風量が同じ場合は、吹出口の一部を遮蔽する手段を設け、吹出口の面積を変化させればよい。吹出口の面積が大きくなる程、吹出速度が遅くなり、冷蔵庫近辺の微小粒子の濃度が高くなる。また、吹出口の面積が一定の場合は、送風機の風量を変化させればよい。送風機の風量が大きくなる程、吹出速度が速くなり、より遠くへ微小粒子が拡散される。
【００７７】
また例えば、吹出口から放出される微小粒子の気流の温度を変化させる方法もある。この気流の温度は送風経路にダンパ等を設けて冷凍サイクルの冷気を導入して冷却することができる。吹出方向が同じ場合、室温より高温の気流は比重が小さく上方向に曲がり、部屋の上部の微小粒子の濃度が高くなり、室温より低温の気流は比重が大きく下方向に曲がり、部屋の下部の微小粒子の濃度が高くなる。一例として、水平方向より３０°下方に、開閉扉閉塞時には３０℃の気流を放出し、開閉扉開放時には５℃の気流を放出する場合が考えられる。この場合、開閉扉閉塞時は部屋の中央部の微小粒子濃度が高くなり、開閉扉開放時は部屋の下部の微小粒子濃度が高くなる。
【００７８】
また例えば、上記の吹出速度と気流の温度との両方を変化させてもよい。一例として、水平方向より１０°下方に、開閉扉閉塞時には室温の気流を１．５ｍ／ｓで放出し、開閉扉開放時には５℃の気流を０．５ｍ／ｓで放出する場合が考えられる。気流は低速である程大きく曲がるので、開閉扉開放時は部屋の下部の微小粒子濃度が高くなる。更に開閉扉開放時は気流の比重が大きいので、微小粒子は十分な到達距離が得られる。
【００７９】
また例えば、微小粒子発生装置の微小粒子発生量を変化させる方法もある。微小粒子を多く発生させる程、部屋の微小粒子濃度は高くなる。
【００８０】
また例えば、微小粒子拡散装置の吹出口から気流を吹き出す他に、別の送風機等を用いて冷蔵庫近辺に他の気流を発生させる方法もある。開閉扉の開閉に同期して冷蔵庫外部の他の場所に設けられたサーキュレータが動作／停止するようにすればよい。一例として、冷蔵庫の底面に吸気する送風機を設け、開閉扉閉塞時には送風を停止し、開閉扉開放時には送風することが考えられる。この場合、開閉扉開放時は部屋の空気が冷蔵庫の底面への気流が生じ、冷蔵庫下部の微小粒子濃度が高くなる。
【００８１】
また例えば、冷蔵庫に別の微小粒子拡散装置を設ける方法もある。一例として冷蔵庫の底面に第２の微小粒子拡散装置を設け、開閉扉閉塞時には第２の微小粒子拡散装置を停止し、開閉扉開放時には第２の微小粒子拡散装置を駆動することが考えられる。この場合、開閉扉開放時は第２の微小粒子拡散装置から放出された微小粒子が冷蔵庫下部周辺に拡散され、冷蔵庫下部の微小粒子濃度が高くなる。
【００８２】
これらの微小粒子の濃度分布を変化させる方法は、それぞれを組み合わせて用いてもよく、また上記第１〜第５の実施形態と組み合わせて用いることも可能である。
【００８３】
以上、実施形態を説明してきたが、本発明は上記実施形態に限定される訳ではなく、本発明の趣旨を逸脱しない範囲で適宜の変更を加えて実施される。なお、微小粒子発生装置としてはイオン発生装置１４だけでなく、他の微小粒子を発生させる装置を用いることもできる。また、微小粒子拡散装置は冷蔵庫だけでなくあらゆる機器に搭載しても上記と同様の効果を得ることができる。
【００８４】
〈比較例〉
第１の実施形態と比較するための比較例について説明する。比較例の微小粒子拡散装置１１１を搭載した冷蔵庫２０１の正面図は図１と略同一、比較例の冷蔵庫２０１に搭載されている微小粒子拡散装置１１１を示す概略平面断面図は図３と略同一である。また、図１７は比較例の冷蔵庫２０１に搭載されている微小粒子拡散装置１１１を示す概略側断面図であり、微小粒子拡散装置１１１が駆動している時の気流の挙動を模式的に表している。
【００８５】
第１の実施形態に対して、微小粒子拡散装置１１１の冷蔵庫庫外微小粒子吹出口２２は、前方（水平方向より１０°下方）にイオンを吹出す第１の吹出口２２ａのみとなっており、前方下方（水平方向より４０°下方）にイオンを吹出す第２の吹出口２２ｂが省略されている。また、送風経路１３においても、第１の送風経路１３ｃのみとなっており、第２の送風経路１３ｄが省略されている。従って、この構成によると、冷蔵庫庫外微小粒子吹出口２２から冷蔵庫庫外に送出される微小粒子は、開閉扉２１の開閉にかかわらず、常に前方（水平方向より１０°下方）に向けて送出される。その他の構成は第１の実施形態と同一である。
【００８６】
図１８、図１９は、室温１５℃の部屋Ｒ（図２２参照）において、比較例の微小粒子拡散装置１１１を備えた冷蔵庫２０１の冷蔵庫庫外微小粒子吹出口２２からＨ+(Ｈ2Ｏ)nとＯ2-(Ｈ2Ｏ)mなるイオン、所謂クラスターイオンを室内に放出した場合の部屋の各部でのイオン濃度を示している。前述のとおり、部屋Ｒの大きさは８畳（高さ２４００ｍｍ、横３６００ｍｍ、奥行き３６００ｍｍ）である。また、図１８に示す計測面は、図２２に一点鎖線Ｈで示した、冷蔵庫庫外微小粒子吹出口２２を含む部屋Ｒの水平断面（床面から１７００ｍｍ上方）であり、図１９に示す計測面は、図２２に二点鎖線Ｖで示した、冷蔵庫庫外微小粒子吹出口２２を含む部屋Ｒの鉛直中央断面である。なお、このときの冷蔵庫庫外微小粒子吹出口２２の風速は、吹出口の長手方向のどの位置においても略均一の１．５ｍ／ｓである。また、このときの冷蔵庫２０ａ前方１ｍにおける騒音値は２２ｄＢである。
【００８７】
ここで、従来の微小粒子拡散装置１１０を備えた冷蔵庫２００の場合のイオン濃度分布（図２３、図２４）と比較すれば明らかであるが、図１８、図１９によると、比較例の微小粒子拡散装置１１１を備えた冷蔵庫２０１においては、冷蔵庫庫外微小粒子吹出口２２から吹出されたイオンは、部屋Ｒの端まで到達しているのがわかる。また、比較例の冷蔵庫庫外微小粒子吹出口２２の前方１０ｍｍ位置におけるイオン濃度は約１万個／ｃｍ3であり、従来例のように吹出口近傍に高濃度のイオンが停滞するということもない。また、８畳の部屋の約６０％以上の領域において、プラスイオン濃度２０００個／ｃｍ3以上、かつ、マイナスイオン濃度２０００個／ｃｍ3以上のイオン濃度を示しており、殺菌効果を示す領域が従来例に対して格段に広がっているのがわかる。
【００８８】
但し、図１９によると、冷蔵庫２０１の前面下方の領域のイオン濃度が低く、これだと、例えば、冷蔵庫２０１の最下段の開閉扉（不図示）を開閉した際に、冷蔵庫２０１庫内に不活化されていない浮遊菌等の微生物が侵入する恐れがある。
【図面の簡単な説明】
【００８９】
【図１】は、本発明の第１の実施形態の微小粒子拡散装置を備えた冷蔵庫の正面図である。
【図２】は、本発明の第１の実施形態の微小粒子拡散装置を備えた冷蔵庫の概略側断面図である。
【図３】は、本発明の第１の実施形態の微小粒子拡散装置を示す概略平面断面図である。
【図４】は、本発明の第１の実施形態の微小粒子拡散装置を備えた冷蔵庫の開閉扉が閉塞されている時の、微小粒子拡散装置近傍を示す概略側断面図である。
【図５】は、本発明の第１の実施形態の微小粒子拡散装置を備えた冷蔵庫の開閉扉が開放されている時の、微小粒子拡散装置近傍を示す概略側断面図である。
【図６】は、本発明の第１の実施形態の微小粒子拡散装置を備えた冷蔵庫の微小粒子拡散装置動作時において、冷蔵庫の開閉扉が閉塞されている時の、部屋Ｒの水平断面Ｈの位置のイオン濃度分布を示す図である。
【図７】は、本発明の第１の実施形態の微小粒子拡散装置を備えた冷蔵庫の微小粒子拡散装置動作時において、冷蔵庫の開閉扉が閉塞されている時の、部屋Ｒの鉛直中央断面Ｖの位置のイオン濃度分布を示す図である。
【図８】は、本発明の第１の実施形態の微小粒子拡散装置を備えた冷蔵庫の微小粒子拡散装置動作時において、冷蔵庫の開閉扉が開放されている時の、部屋Ｒの鉛直中央断面Ｖの位置のイオン濃度分布を示す図である。
【図９】は、本発明の第２の実施形態の微小粒子拡散装置を備えた冷蔵庫の開閉扉が閉塞されている時の、微小粒子拡散装置近傍を示す概略側断面図である。
【図１０】は、本発明の第２の実施形態の微小粒子拡散装置を備えた冷蔵庫の開閉扉が開放されている時の、微小粒子拡散装置近傍を示す概略側断面図である。
【図１１】は、本発明の第３の実施形態の微小粒子拡散装置を備えた冷蔵庫の開閉扉が閉塞されている時の、微小粒子拡散装置近傍を示す概略側断面図である。
【図１２】は、本発明の第３の実施形態の微小粒子拡散装置を備えた冷蔵庫の開閉扉が開放されている時の、微小粒子拡散装置近傍を示す概略側断面図である。
【図１３】は、本発明の第４の実施形態の微小粒子拡散装置を備えた冷蔵庫の開閉扉が閉塞されている時の、微小粒子拡散装置近傍を示す概略側断面図である。
【図１４】は、本発明の第４の実施形態の微小粒子拡散装置を備えた冷蔵庫の開閉扉が開放されている時の、微小粒子拡散装置近傍を示す概略側断面図である。
【図１５】は、本発明の第５の実施形態の微小粒子拡散装置を備えた冷蔵庫の開閉扉が閉塞されている時の、微小粒子拡散装置近傍を示す概略側断面図である。
【図１６】は、本発明の第５の実施形態の微小粒子拡散装置を備えた冷蔵庫の開閉扉が開放されている時の、微小粒子拡散装置近傍を示す概略側断面図である。
【図１７】は、比較例の微小粒子拡散装置を備えた冷蔵庫の、微小粒子拡散装置近傍を示す概略側断面図である。
【図１８】は、比較例の微小粒子拡散装置を備えた冷蔵庫の微小粒子拡散装置動作時における、部屋Ｒの水平断面Ｈの位置のイオン濃度分布を示す図である。
【図１９】は、比較例の微小粒子拡散装置を備えた冷蔵庫の微小粒子拡散装置動作時における、部屋Ｒの鉛直中央断面Ｖの位置のイオン濃度分布を示す図である。
【図２０】は、従来の微小粒子拡散装置を備えた冷蔵庫の正面図である。
【図２１】は、従来の微小粒子拡散装置を示す概略平面断面図である。
【図２２】は、従来の微小粒子拡散装置を備えた冷蔵庫と部屋Ｒ内のイオン濃度分布の計測ポイントとの位置関係を示す図である。
【図２３】は、従来の微小粒子拡散装置を備えた冷蔵庫の微小粒子拡散装置動作時における、部屋Ｒの水平断面Ｈの位置のイオン濃度分布を示す図である。
【図２４】は、従来の微小粒子拡散装置を備えた冷蔵庫の微小粒子拡散装置動作時における、部屋Ｒの鉛直中央断面Ｖの位置のイオン濃度分布を示す図である。
【符号の説明】
【００９０】
１１ａ〜１１ｅ、１１０、１１１    微小粒子拡散装置
１３    送風経路
１３ｃ    第１の送風経路
１３ｃ    第２の送風経路
１４    イオン発生装置
１９    風向変更板
２０ａ〜２０ｅ、２００、２０１    冷蔵庫
２１    開閉扉
２１ｂ    開閉扉一体型気流案内部材
２１ｃ    開閉扉一体型分流部材
２２    冷蔵庫庫外微小粒子吹出口
２２ａ    第１の吹出口
２２ｂ    第２の吹出口
【図１】
2006118780.tif 000003
【図２】
2006118780.tif 000004
【図３】
2006118780.tif 000005
【図４】
2006118780.tif 000006
【図５】
2006118780.tif 000007
【図６】
2006118780.tif 000008
【図７】
2006118780.tif 000009
【図８】
2006118780.tif 000010
【図９】
2006118780.tif 000011
【図１０】
2006118780.tif 000012
【図１１】
2006118780.tif 000013
【図１２】
2006118780.tif 000014
【図１３】
2006118780.tif 000015
【図１４】
2006118780.tif 000016
【図１５】
2006118780.tif 000017
【図１６】
2006118780.tif 000018
【図１７】
2006118780.tif 000019
【図１８】
2006118780.tif 000020
【図１９】
2006118780.tif 000021
【図２０】
2006118780.tif 000022
【図２１】
2006118780.tif 000023
【図２２】
2006118780.tif 000024
【図２３】
2006118780.tif 000025
【図２４】
2006118780.tif 000026